(57)【要約】【課題】  【解決手段】  本発明に係る洗濯機の洗剤供給装置は、洗濯物が収容されるドラム；前記ドラムの上方に形成されるトップカバー；前記トップカバーの一側面に一体に形成され、上方に温水および／または冷水が供給される供給ホールが設けられる収納凹部；前記収納凹部内部の上側面に結合されるシャワー部と、前記シャワー部の後方から下方に延び前記収納凹部と接触して一定の空間を形成する温水ガイド部が設けられるシャワー部材；および前記シャワー部材の下方に挿入され、洗剤、繊維柔軟剤および添加剤のうちの少なくとも２つ以上が個別的に収納される少なくとも２つ以上のチャンバーが形成される洗剤ボックス；を備える。
2005519712.tif 000002
【特許請求の範囲】
【請求項１】
洗濯物を収容するドラムと、
前記ドラムの上方に形成されるトップカバーと、
前記トップカバーの一側面が窪んで形成され、上方に温水および／または冷水が供給される供給ホールが設けられる収納凹部と、
前記収納凹部内部の上側面に結合されるシャワー部と、前記シャワー部の後方から下方に延び、前記収納凹部と接触して一定の空間を形成する温水ガイド部が設けられるシャワー部材と、
前記シャワー部材の下方に挿入され、洗剤、繊維柔軟剤および添加剤のうちの少なくとも２つ以上が個別的に収納される少なくとも２つ以上のチャンバーが形成される洗剤ボックスと、
を備えることを特徴とする洗濯機の洗剤供給装置。
【請求項２】
請求項１に記載の洗濯機の洗剤供給装置において、前記洗剤ボックスは、
添加剤が収納される添加剤収納チャンバーと、
前記添加剤収納チャンバーの側方向に離間した位置に形成される洗剤チャンバーと、
前記洗剤チャンバーの側方向に離隔した位置に形成される柔軟剤チャンバーと、
を備えることを特徴とする洗濯機の洗剤供給装置。
【請求項３】
請求項１に記載の洗濯機の洗剤供給装置において、
前記チャンバー前方のノブ部の下側両端部に形成されるボックス係止突部と、
前記洗剤ボックスが前記収納凹部に完全に収納された時、前記ボックス係止突部が係止されるように前記収納凹部の下側壁に形成される係止溝と、
を備えることを特徴とする洗濯機の洗剤供給装置。
【請求項４】
請求項１に記載の洗濯機の洗剤供給装置において、
前記洗剤ボックスの両側面に水平方向に長く形成されるボックスガイドリブと、
前記ボックスガイドリブの対応する前記収納凹部の両側壁に形成されるボックス係止突条と、
を備えることを特徴とする洗濯機の洗剤供給装置。
【請求項５】
請求項１に記載の洗濯機の洗剤供給装置において、
前記収納凹部の上側壁から下方に延びる洗剤ボックス隔壁と、
前記洗剤ボックス隔壁が位置され、前記チャンバーをそれぞれのチャンバーに分離するためのリブ挿入溝と、
を備えることを特徴とする洗濯機の洗剤供給装置。
【請求項６】
請求項１に記載の洗濯機の洗剤供給装置において、
前記洗剤ボックスの少なくとも２箇所から上方に延びるボックス離脱防止突条と、
前記離脱防止突条と対応するシャワー部材の下側面に膨らんで形成され、前記洗剤ボックスが挿入される方向の傾きは緩やかで、前記洗剤ボックスが離脱する方向の傾きは急なボックス係止突起と、
を備えることを特徴とする洗濯機の洗剤供給装置。
【請求項７】
請求項１に記載の洗濯機の洗剤供給装置において、
前記柔軟剤および／または前記添加剤が収容されるチャンバーの下面において上方に膨らんで形成されるインナーサイフォンガイドと、
少なくとも前記インナーサイフォンガイドの離隔した外側から挿入されるアウターサイフォンガイドが下方に延びて形成されるサイフォンカバーと、
を備えることを特徴とする洗濯機の洗剤供給装置。
【請求項８】
請求項７に記載の洗濯機の洗剤供給装置において、
前記インナーサイフォンガイドの所定の外周面には、前記アウターサイフォンガイドとインナーサイフォンガイドとの間に一定の離間した空間を形成するための間隔維持部材が形成されることを特徴とする洗濯機の洗剤供給装置。
【請求項９】
請求項７に記載の洗濯機の洗剤供給装置において、
前記サイフォンガイドが形成されるチャンバーの下側外部面から下方に膨らんで一定の間隔が形成される突出端を備えることを特徴とする洗濯機の洗剤供給装置。
【請求項１０】
請求項７に記載の洗濯機の洗剤供給装置において、
前記チャンバーの下側外部面から下方に膨らんで前記収納凹部と前記チャンバーとの一定間隔を維持するための間隔維持リブを備えることを特徴とする洗濯機の洗剤供給装置。
【請求項１１】
請求項１に記載の洗濯機の洗剤供給装置において、
前記チャンバーの内部に水が静かに落ちるように、水の落下地点に膨らんでいる凸状部が形成されるサイフォンカバーを備えることを特徴とする洗濯機の洗剤供給装置。
【請求項１２】
請求項１に記載の洗濯機の洗剤供給装置において、
前記チャンバーの内部に水が均一に落ちるように、上面に多数の通孔が形成されるサイフォンカバーを備えることを特徴とする洗濯機の洗剤供給装置。
【請求項１３】
請求項１に記載の洗濯機の洗剤供給装置において、
前記チャンバーの内部に収容される柔軟剤または洗剤または添加剤が残りなく希釈されるように、その上面の落下地点に傾斜して形成される水供給傾斜面が形成されるサイフォンカバーを備えることを特徴とする洗濯機の洗剤供給装置。
【請求項１４】
請求項１に記載の洗濯機の洗剤供給装置において、
前記洗剤が収容される下面の一側に吐出口が形成される洗剤チャンバーと、
前記洗剤チャンバーの内部に収容され、前記吐出口と位置合わせされる位置に、下面から上方に膨らんで形成されるサイフォンガイドが設けられる洗剤サイフォン部材と、
前記サイフォンガイドの外周と一定間隔を隔てた箇所に位置するアウターサイフォンガイドが形成される洗剤サイフォンカバーと、
が設けられ、液状洗剤の使用が可能であることを特徴とする洗濯機の洗剤供給装置。
【請求項１５】
請求項１４に記載の洗濯機の洗剤供給装置において、
前記洗剤サイフォン部材からサイフォンガイドの形成位置と対応する洗剤サイフォン部材の外側下面に突出する突出端と、
前記吐出口に挿入されるように前記突出端からさらに膨らんで形成される吐出口挿入突出端と、
を備えることを特徴とする洗濯機の洗剤供給装置。
【請求項１６】
請求項１４に記載の洗濯機の洗剤供給装置において、
前記洗剤サイフォンガイドの外周には、前記アウターサイフォンガイドと一定の間隔を維持するための間隔位置部材が設けられることを特徴とする洗濯機の洗剤供給装置。
【請求項１７】
請求項１４に記載の洗濯機の洗剤供給装置において、
前記洗剤サイフォン部材の外部下側面から膨らんで前記洗剤サイフォン部材と洗剤チャンバーとの間隔を維持するための間隔維持リブを備えることを特徴とする洗濯機の洗剤供給装置。
【請求項１８】
請求項１４に記載の洗濯機の洗剤供給装置において、
前記洗剤サイフォン部材側面の所定地点が曲げられ、また、前記曲げられる地点と対応する前記洗剤チャンバーも同様な形状に曲げられ、便利に前記洗剤サイフォン部材の位置が指定されることを特徴とする洗濯機の洗剤供給装置。
【請求項１９】
請求項１に記載の洗濯機の洗剤供給装置において、
前記チャンバーの後面は、下方に行くにつれ前方に傾斜することを特徴とする洗濯機の洗剤供給装置。
【請求項２０】
請求項１に記載の洗濯機の洗剤供給装置において、
前記シャワー部材の前端に形成される係止フックと、
前記シャワー部材が前記収納凹部に完全に挿入された時、前記係止フックが収容されるように前記収納凹部の対応する位置に形成されるシャワー部材固定突条と、
を備えることを特徴とする洗濯機の洗剤供給装置。
【請求項２１】
請求項１に記載の洗濯機の洗剤供給装置において、
前記シャワー部は、それぞれの前記チャンバーのいずれか１つには、水が多分岐になって流出されるように、下方に窪んで形成され、多数の通孔が設けられることを特徴とする洗濯機の洗剤供給装置。
【請求項２２】
請求項１に記載の洗濯機の洗剤供給装置において、
前記収納凹部の上側壁から下方に延び、水平に折り曲げられ、前記シャワー部材の前後挿入動作がガイドされるシャワー部材係止突条を備えることを特徴とする洗濯機の洗剤供給装置。
【請求項２３】
請求項１に記載の洗濯機の洗剤供給装置において、
前記収納凹部の上側壁から下方に延び、水平に折り曲げられる少なくとも２つ以上のシャワー部材係止突条と、
前記シャワー部材係止突条の少なくとも１つが前記シャワー部の下側面と接触し、前記シャワー部材の装脱着動作をガイドするためのリブガイドと、
を備えることを特徴とする洗濯機の洗剤供給装置。
【請求項２４】
請求項１に記載の洗濯機の洗剤供給装置において、
前記温水ガイド部の後方から隔てられた上側において前記収納凹部の上側壁に形成され、温水が供給される温水供給ホールと、
前記温水供給ホールの直に近くの下側に形成され、収納凹部の下側壁に温水を供給するための温水孔と、
を備えることを特徴とする洗濯機の洗剤供給装置。
【請求項２５】
請求項２４に記載の洗濯機の洗剤供給装置において、
前記温水孔は、前記温水ガイド部の一側に偏って形成されることを特徴とする洗濯機の洗剤供給装置。
【請求項２６】
請求項１に記載の洗濯機の洗剤供給装置において、
前記温水ガイド部の下方に曲げられて形成される多数の通孔によって温水が前記収納凹部の下側面に落ちるようにするための波状部を備えることを特徴とする洗濯機の洗剤供給装置。
【請求項２７】
請求項１に記載の洗濯機の洗剤供給装置において、
前記温水ガイド部の一側には、温水が流出されるように多数の通孔が形成され、上方に行くにつれ傾斜して形成される補助温水供給部が設けられることを特徴とする洗濯機の洗剤供給装置。
【請求項２８】
請求項１に記載の洗濯機の洗剤供給装置において、
前記温水ガイド部のほぼ上方には、前記収納凹部と前記温水ガイド部とによって形成される空間を温水が侵入するのを防止するため、ほぼ水平に長く形成される遮断溝が設けられることを特徴とする洗濯機の洗剤供給装置。
【請求項２９】
請求項１に記載の洗濯機の洗剤供給装置において、
前記シャワー部の一定面上には、前記トップカバーを介して挿入されるネジがさらに挿入されるための上面固定ホールが設けられることを特徴とする洗濯機の洗剤供給装置。
【請求項３０】
請求項１に記載の洗濯機の洗剤供給装置において、
前記温水ガイド部の少なくとも一側には、前記トップカバーを介して挿入されるネジがさらに挿入されるための後側固定ホールが設けられることを特徴とする洗濯機の洗剤供給装置。
【請求項３１】
請求項１において、
前記収納凹部の下側面は、前方に行くにつれ下方に傾斜して形成され、水が円滑に流出されることを特徴とする洗濯機の洗剤供給装置。
【請求項３２】
請求項１に記載の洗濯機の洗剤供給装置において、
前記洗剤ボックスに形成され、洗剤、添加剤、柔軟剤がそれぞれ収容される３つのチャンバーが設けられ、
前記シャワー部は、前記添加剤チャンバーと前記洗剤チャンバーに、シャワー機能のための洗剤シャワー部と添加剤シャワー部を備えることを特徴とする洗濯機の洗剤供給装置。
【請求項３３】
洗濯機のトップカバーに水平に窪んで形成される収納凹部にシャワー部材がシャワー部材の係止構造によって仮組立されるステップと、
前記シャワー部材がネジ結合で堅固に固定されるステップと、
前記収納凹部の内部に洗剤ボックスが前記洗剤ボックスの係止構造によって係止したり解けたりして装脱着されるステップと、
を含むことを特徴とする洗濯機の洗剤供給装置の取付方法。
【請求項３４】
請求項３３に記載の洗濯機の洗剤供給装置の取付方法において、
前記シャワー部材の係止構造は、
前記シャワー部材の前端に形成される係止フックと、
前記係止フックと対応する前記収納凹部の位置に設けられるシャワー部材固定突条と、
を含むことを特徴とする洗濯機の洗剤供給装置の取付方法。
【請求項３５】
請求項３３に記載の洗濯機の洗剤供給装置の取付方法において、
前記洗剤ボックスの係止構造は、
洗剤ボックスの前端下方に形成されるボックス係止突部と、
前記ボックス係止突部と対応する前記収納凹部の位置に形成されるボックス係止溝と、
を含むことを特徴とする洗濯機の洗剤供給装置の取付方法。
【請求項３６】
請求項３３に記載の洗濯機の洗剤供給装置の取付方法において、
前記シャワー部材は、前記収納凹部の上側壁に延びて前後に長く形成されるシャワー部材係止突部によってガイドされ、前記収納凹部の内部に挿入されることを特徴とする洗濯機の洗剤供給装置の取付方法。
【請求項３７】
請求項３３に記載の洗濯機の洗剤供給装置の取付方法において、前記洗剤ボックスは、
前記収納凹部の両側壁から前後に長く突設されるボックス係止突部と、
前記洗剤ボックスの両側端部に設けられ、前記ボックス係止突部の位置されるボックスリブガイドと、によって前記収納凹部に装脱着されることを特徴とする洗濯機の洗剤供給装置の取付方法。
【発明の詳細な説明】
【技術分野】
【０００１】
本発明は、洗濯機に洗剤を投入する洗剤投入装置に関し、詳しくは、洗濯機への洗剤投入の構造を単純化し洗濯水の供給構造を改善することで、温水および冷水の供給を、必要に応じて使用者の希望する形態に変形して行うことができる洗濯機の洗剤投入装置に関する。
特に、温水および／または冷水の供給を使用者の希望に合わせて供給することができ、温水および／または冷水を使用者の選択に応じて信頼性高く供給することができる洗濯機の洗剤投入装置に関する。
【背景技術】
【０００２】
従来、洗濯機において洗剤を投入する方法では、洗剤、繊維柔軟剤などを予め洗剤チャンバーに入れておき、洗濯機の動作が始まると、下洗い、洗濯、すすぎおよび脱水の全過程において適切に洗剤または繊維柔軟剤が投入されることで、洗濯が行われる。
【０００３】
従来の洗濯機の洗剤投入装置について説明する。
図１は、従来の洗濯機の洗剤投入装置を説明する斜視図である。
同図に示されたように、従来の洗濯機は、洗濯機の外装をなすキャビネット（２）と、前記キャビネット（２）内に設けられ、回転によって洗濯および脱水が行われるドラム（１）と、前記キャビネット（２）の上方に設けられるトップカバー（３）と、前記トップカバー（３）上方の開口部を選択的に覆って洗濯物の入れ出しをするための開閉扉（５）と、前記トップカバー（３）のほぼ後方に設けられ、使用者の操作によって洗濯機の運転状態を操作する操作部（４）とを備えている。
特に、洗濯機の内部に洗剤が適切に投入されるように、前記トップカバー（３）のほぼ後方の開口された端部から前方に突設されるハウジング（６）と、前記ハウジング（６）の内側に挿入される洗剤ボックス（８）と、前記洗剤ボックス（８）の上側面に位置されるシャワー部材（７）とを備える。
【０００４】
前記ハウジング（６）は、前記トップカバー（３）の前方に突出延長する部分であって、ハウジング（６）の上方に洗濯水が供給され、シャワー部材（７）によって水が多分岐になって散布され、供給される。また、シャワー部材（７）の下面に形成される多数の通孔によって多分岐になって洗剤ボックス（８）に供給された水は、洗剤ボックス（８）内の洗剤が水で希釈された後、ドラム（１）内部に供給される。
【発明の開示】
【発明が解決しようとする課題】
【０００５】
このような従来の洗濯機の洗剤投入装置は、トップカバー（３）の開口された側面に突出延長するハウジング（６）によって使用者が不便を感じるという短所があり、その構造が複雑で、製作時に不便である。
また、ハウジングという別体の部品が使用されているため、製作過程が複雑化し、コストアップの原因となる。
また、洗剤および繊維柔軟剤が、洗濯、すすぎなどのために使用される時、水が他のチャンバーに移ることがあり、使用効率が落ちるという短所がある。
【０００６】
本発明は、上記のような問題点を解決するためになされたものであって、本発明の目的は、より構成を単純化し、使用者が便利に使用できる洗濯機の洗剤投入装置を提供することにある。
また、本発明の他の目的は、単純化した洗剤投入装置の構成によって生産過程を単純化させることができる洗剤投入装置を提供することにある。
本発明のまた他の目的は、洗剤チャンバー間の水混じが発生しないようにすることで、洗濯の効率を高くし得る洗濯機の洗剤投入装置を提供することにある。
【課題を解決するための手段】
【０００７】
このような目的を達成するための本発明の思想による洗濯機の洗剤投入装置は、洗濯物を収容するドラム；前記ドラムの上方に形成されるトップカバー；前記トップカバーの一側面が一体に形成され、上方に温水および／または冷水が供給される供給ホールが設けられる収納凹部；前記収納凹部内の上側面に結合されるシャワー部と、前記シャワー部の後方から下方に延び、前記収納凹部と接触して一定の空間を形成する温水ガイド部が設けられるシャワー部材；および前記シャワー部材の下方に挿入され、洗剤、繊維柔軟剤および添加剤のうちの少なくとも２つ以上が個別的に収納される少なくとも２つ以上のチャンバーが形成される洗剤ボックス；を備える。
【０００８】
また、本発明の思想に係る洗濯機の洗剤供給装置の取付方法は、洗濯機のトップカバーに水平に窪んで形成される収納凹部にシャワー部材がシャワー部材の係止構造によって仮組立されるステップ；前記シャワー部材がネジ結合で堅固に固定されるステップ；および前記収納凹部の内部に洗剤ボックスが前記洗剤ボックスの係止構造によって係止したり解けたりして装・脱着されるステップ；を含む。
上記のような洗剤供給装置および方法によって洗剤をより効率よく供給することができ、さらには、洗濯機の構造がよりコンパクト化する。
【発明を実施するための最良の形態】
【０００９】
本発明の思想に係る具体的な実施例を図面を参照して説明する。但し、本発明の思想が、提示される図面およびそれに関連した説明に制限されるのではなく、本発明の思想が理解できる当業者であれば、本発明の思想の範囲内で種々の変形および修正を行うことができ、これらの変形および修正は、本発明の権利範囲に属するものである。
【００１０】
図２は、本発明に係る洗濯機の洗剤投入装置の斜視図である。
同図に示されたように、本発明に係る洗濯機の洗剤投入装置は、洗濯機のトップカバー（１０）と、前記トップカバー（１０）の開口部のほぼ後方の一定部分が側面に窪んで形成される収納凹部（４０）と、前記収納凹部（４０）に挿入される洗剤ボックス（６０）と、前記洗剤ボックス（６０）の上側面に設けられ、前記収納凹部（４０）内に挿入されるシャワー部材（２０）とを備える。
【００１１】
また、前記収納凹部（４０）が形成されるトップカバー（１０）の後方には、水が供給される多数の水供給口が形成される。詳しくは、図面を基準にして左側から第１の冷水供給口（１４）、第２の冷水供給口（１３）、第３の冷水供給口（１２）、および温水供給口（１１）が形成される。
また、前記水供給口（１１）（１２）（１３）（１４）の端部が前記トップカバー（１０）と連結される個所には、水供給ホールがさらに形成される。詳しくは、第１の冷水供給口（１４）が前記トップカバー（１０）と結合される個所に第１の冷水供給ホール（１８）、第２の冷水供給口（１３）が結合される個所に第２の冷水供給ホール（１７）、第３の冷水供給口（１２）が結合される個所に第３の冷水供給ホール（１６）、温水供給口（１１）と結合される個所に温水供給ホール（１５）が形成される。
【００１２】
上記の洗剤投入装置の構成による水の供給経路については、水供給口（１１）（１２）（１３）（１４）を経由して外部から供給された水は、水供給ホール（１５）（１６）（１７）（１８）を介してトップカバー（１０）、詳しくは、収納凹部（４０）に流入される。また、トップカバー（１０）に流入された水は、収納凹部（４０）内に流入される。また、収納凹部（４０）に流入された水は、シャワー部材（２０）の上方に落ちるようになり、前記シャワー部材（２０）の上方に流入された水は、シャワー部材（２０）に形成される多数の通孔によって多分岐となり、洗剤ボックス（６０）に形成されている多数のチャンバー内に供給される。
【００１３】
また、洗剤ボックス（６０）に供給された水は、洗剤が希釈された後、水溶液の状態で収納凹部（４０）前方の開口部を介して流出され、ドラム内に供給される。
前記洗剤ボックス（６０）およびシャワー部材（２０）が収納凹部（４０）に収容される順序については、前記シャワー部材（２０）が収納凹部（４０）の内部に挿入され、係止構造によって仮組立された後、ネジ結合で堅固に固定される。また、洗剤ボックス（６０）が収納凹部（４０）の内部に挿入され、所定の係止構造によって係止されるだけで、使用者は、必要に応じて洗剤ボックス（６０）を装・脱着して使用することができる。
前記収納凹部（４０）が形成される位置は、トップカバー（１０）が窪んで形成されれば良く、具体的な形成位置は、図面上に示されるトップカバー（１０）の開口部の後方だけでなく、その側方であっても構わない。
【００１４】
以下、前記シャワー部材（２０）、洗剤ボックス（６０）および収納凹部（４０）のそれぞれの構成について詳述する。
図３は、本発明に係る洗濯機の洗剤投入装置におけるシャワー部材の背面斜視図である。
同図に示されたように、本発明に係るシャワー部材（２０）は、ほぼ水平に形成されるシャワー部と、前記シャワー部の後端部からほぼ下方に折り曲げて延びる温水ガイド部とを有する。
【００１５】
前記シャワー部は、シャワー部材（２０）の前方に行くにつれ傾斜し窪んで形成される添加剤シャワー部（２１）と、前記添加剤シャワー部（２１）の一側で前記添加剤シャワー部（２１）と同様に後方から前方に行くにつれ下方に傾斜し窪んで形成される洗剤シャワー部（２２）と、前記添加剤シャワー部（２１）と洗剤シャワー部（２２）との間の当接面に長ホールの形状に前記シャワー部材（２０）が前記収納凹部（４０）に挿入される時にガイドするためのリブガイド（２３）と、前記シャワー部材（２０）の前端上方に溝状に長く延びて形成される係止フック（２４）と、前記添加剤シャワー部（２１）および洗剤シャワー部（２２）の上面にネジが挿入され、前記シャワー部材（２０）がより堅固に収納凹部（４０）の内側壁に固定されるようにするための上面固定ホール（２５）（２６）とを有する。
【００１６】
また、前記温水ガイド部は、前記シャワー部の下端部から下方にさらに延びるものであって、収納凹部（４０）の後方の内側壁と密着され、温水が溜められるように所定の空間を形成する。
詳しくは、温水ガイド部は、前記トップカバー（１０）を貫通するネジでシャワー部材（２０）を固定するための後方固定ホール（２７）（２８）と、前記温水供給ホール（図２の１５参照）と位置合わせされ、温水の供給時、前記温水が通過して収納凹部（４０）の下側面に落ちることでドラム内に供給するための温水孔（２９）と、前記温水孔（２９）から温水が全て通過できない場合、側面に流れて温水ガイド部の全体面を介して温水が供給されるようにするための波状部（３０）と、前記波状部（３０）の一側に上下に傾斜し、多数の通孔が形成される補助温水供給部（３１）と、前記波状部（３０）の上方に水平に長く少なくとも１つ以上形成される遮断溝（３２）とを有する。
【００１７】
詳しくは、前記添加剤シャワー部（２１）および洗剤シャワー部（２２）の上面には、水が多分岐になって供給され、シャワー機能を行うための多数の通孔が形成される。前記通孔は、添加剤シャワー部（２１）および洗剤シャワー部（２２）の側面にも形成されており、水の迅速な供給を促進する。
具体的には、前記リブガイド（２３）は、シャワー部材（２０）が収納凹部（４０）の内部に挿入される時、シャワー部材（２０）が正確な位置に安定して挿入されるようにその移動位置をガイドする。
【００１８】
また、前記係止フック（２４）は、収納凹部（４０）前端部の上方に形成される所定の係止構造によって係止されることで、シャワー部材（２０）が安定して位置固定されるようになる。さらに、前記係止フック（２４）は、一定の密閉構造を形成することで、シャワー部材（２０）の前方に水が溢れることなく、水がシャワー部材（２０）から溢れるとしても、シャワー部材（２０）の後方にのみ流れ、収納凹部（４０）の下側面に沿ってドラム内に流入されることになる。さらに、シャワー部材（２０）の前方から水が溢れることがない。
具体的には、前記上面固定ホール（２５）（２６）は、前記トップカバー（１０）に形成される一定の挿入ホール（図示せず）に位置合わせされ、その位置合わせしたホールにネジが挿入され固定されることで、前記シャワー部材（２０）は、トップカバー（１０）に堅固に固定される。
【００１９】
また、後方固定ホール（２７）（２８）は、シャワー部材（２０）より堅固にトップカバー（１０）に結合されるようにする。
また、前記温水孔（２９）は、前記温水供給ホール（図２の１５参照）を介して供給された水が、一次的にドラムの内部に供給されるようにするため、前記温水供給ホール（１５）と一列に位置合わせされる。
また、前記波状部（３０）は、温水孔（２９）から通過されない温水が流出されるようにするためのものであって、波状部の突出部分と収納凹部（４０）の後方内面とが接触して形成される多数の隙間を介して温水が流出される。
【００２０】
また、前記補助温水供給部（３１）は、前記波状部（３０）を介しても流出されない温水を流出するためのものであって、温水のより迅速な流出のために上方に行くにつれ前方に傾斜して形成されている。また、前記補助温水供給部（３１）の前方には、洗剤ボックス（６０）の後面が当接し、その間に形成される空間を介して温水が収納凹部（４０）に落ちるようになる。
また、前記遮断溝（３２）は、前記温水孔（２９）、波状部（３０）および補助温水供給部（３１）を介しても流出されない水が、シャワー部材（２０）の上方に形成される添加剤シャワー部（２１）または洗剤シャワー部（２２）へ移るのを防止するためのものである。
【００２１】
図４は、本発明に係る洗濯機の洗剤投入装置におけるシャワー部材の底面斜視図である。
同図に示されたように、洗剤シャワー部（２２）、添加剤シャワー部（２１）、上面固定ホール（２５）（２６）、リブガイド（２３）などが前述のように設けられている。また、前記シャワー部材（２０）の底面には、洗剤シャワー部（２２）のほぼ両端部の下方において所定形状に膨らんで形成されるボックス係止突起（３３）が設けられる。
具体的には、前記ボックス係止突起（３３）は、前方は緩やかに傾斜し、後方は急に傾斜して形成されることがわかる。それで、前記シャワー部材（２０）の下方から収納凹部（４０）内へ洗剤ボックス（６０）を挿入する時、緩やかな傾斜部分に沿って容易に挿入される。しかし、洗剤ボックス（６０）を収納凹部（４０）から取り外す時は、洗剤ボックス（６０）がボックス係止突起（３３）の急な傾斜部分に係止されているため、使用者が洗剤ボックス（６０）を若干持ち上げない限り、収納凹部（４０）から抜けることがない。前記ボックス係止突起（３３）と対応する洗剤ボックス（６０）の所定位置には、ボックス離脱防止突条（図５の９８、９９参照）がさらに形成される。
【００２２】
前述のようなシャワー部材の構成を参照して、水の供給経路としてのシャワー部材の動作を説明する。
前記添加剤シャワー部（２１）の離隔した上方には、第３の冷水供給ホール（１６）が位置し、これに介して水が供給される。供給された水は、添加剤シャワー部（２１）に多数形成される通孔によって多分岐になって洗剤ボックス（６０）に落下する。
また、前記洗剤シャワー部（２２）の離隔した上方には、第２の冷水供給ホール（１７）が位置し、これに介して水が供給される。供給された水は、同様に、洗剤シャワー部（２２）に多数形成される通孔を介して洗剤ボックス（６０）に多分岐になって落下する。
【００２３】
また、前記温水孔（２９）の直に近くの上方には、温水供給ホール（１５）が位置し、これを介して温水が供給される。それで、温水孔（２９）を通過してその下方に温水が供給される。前記温水孔（２９）の下方には、収納凹部（４０）の下側壁が位置されるため、温水は、洗剤ボックス（６０）を経由することなく直に収納凹部（４０）の下側面に沿ってドラムに供給される。
特に、前記温水孔（２９）を介して供給された水が、洗剤ボックス（６０）を経由することなく洗濯槽内のドラムに供給される。これは、下洗いのように洗剤を使用せずに水のみが供給されるようにして、洗濯物をふやかす機能を行う時に便利に使用できる。さらに、温水と共に洗剤または添加剤などを供給するためには、別の冷水供給ホール（１６）を介して追加に水を供給するようにすれば良い。
【００２４】
このように温水のみの供給が信頼性高く行われるようにするため、前記温水孔（２９）を介して流出されない水は、二次的に波状部（３０）を介して供給される。また、前記波状部（３０）を介しても流出されなかった温水は、補助温水供給部（３１）を介して供給されることになる。
さらには、前記補助温水供給部（３１）を介しても排出されない温水がシャワー部材（２０）を伝わって侵入するのを防止するため、前記波状部（３０）の上方には、多数の遮断溝（３２）が設けられる。前記遮断溝（３２）は、遮断溝（３２）と収納凹部（４０）の後側壁とによって形成される一定の空間に温水が溢れることなく満ちるようにする。前記遮断溝（３２）によって一定の圧力が温水に加えられるようにすることで、温水は、前述の温水孔（２９）、波状部（３０）および補助温水供給部（３１）を介してより迅速に流出される。
換言すれば、温水ガイド部に設けられた多数の構成によって、使用者が温水のみの供給を選択すると、温水のみが正確に洗濯槽内に供給されるようになる。
【００２５】
図５は、本発明に係る洗濯機の洗剤投入装置における洗剤ボックスの背面斜視図である。
同図に示されたように、前記洗剤ボックス（６０）は、洗剤ボックス（６０）の前端に形成されるノブの後方に３つのチャンバーが形成される形状となっている。また、前記ノブの下側面の両端には、洗剤ボックス（６０）が挿入された後、挿入位置を堅固に固定するためのボックス係止突部（９４）が設けられる。
【００２６】
以下、チャンバーについて説明する。
図面を基準に最右側に形成され、繊維柔軟剤が収容される柔軟剤チャンバー（６１）と、前記柔軟剤チャンバー（６１）の左側に設けられ洗剤が収容される洗剤チャンバー（６２）と、前記洗剤チャンバー（６２）の右側に設けられ添加剤が収容される添加剤チャンバー（６３）とが形成されている。また、前記チャンバー（６１）（６２）（６３）の内部には、柔軟剤サイフォンカバー（７２）、洗剤サイフォン部材（７１）、添加剤サイフォンカバー（７０）が内蔵され、特に前記洗剤サイフォン部材（７１）の内部には、洗剤サイフォンカバー（７３）がさらに形成される。前記柔軟剤としては、繊維柔軟剤があげられ、前記添加剤としては、下洗い用の添加剤があげられる。
【００２７】
以下、それぞれのチャンバーの詳細な構成について個別的に説明する。
先ず、前記柔軟剤チャンバー（６１）および添加剤チャンバー（６３）には、内面の所定位置から上方に延びる円筒形状の添加剤サイフォンガイド（６４）および柔軟剤サイフォンガイド（６６）のほぼ下方から支持ボスとしてさらに形成される間隔維持部材（９１）（９３）、前記チャンバー（６１）（６３）の両側面に同様に形成されるボックスリブガイド（６７）が設けられる。
また、前記サイフォンガイド（６４）（６６）と対応するものであって、前記添加剤サイフォンカバー（７０）および柔軟剤サイフォンカバー（７２）には、上下方向に一定の間隔を形成するために四隅に設けられる脚と、前記添加剤サイフォンガイド（６４）および柔軟剤サイフォンガイド（６６）と対応する位置から下方に延びて形成されるアウターサイフォンガイド（８１）（８３）が設けられる。
【００２８】
特に、前記柔軟剤サイフォンカバー（７２）の上側面には、供給される水が柔軟剤チャンバー（６１）内の全体に至るようにするため、供給された水が一方向（特に、前方）に流れ込んで全ての柔軟剤がドラムの内部に供給されるように、下方に傾斜して形成される水供給傾斜面（７４）が設けられる。また、前記添加剤サイフォンカバー（７０）の上側面には、水の落下時の騒音を減らすために膨らんでいる凸状部（７０２）と、前記凸状部（７０２）の前方に形成される多数の通孔（７０１）とが設けられる。
なお、前記洗剤チャンバー（６２）には、洗剤チャンバー（６２）後面の下側端が横に長く開口され、洗剤チャンバー（６２）内に流入され、洗剤が希釈された水が迅速に流出されるようになる。また、洗剤チャンバー（６２）の後端部から少し前方には洗剤サイフォン吐出口（６５）と、洗剤チャンバー（６２）後方の両端部に突設される、前述のボックス離脱防止突条（９８）（９９）とが形成される。
前記洗剤チャンバー（６２）と対応するものであって、洗剤サイフォン部材（７１）および洗剤サイフォンカバー（７３）がさらに形成される。
【００２９】
前記洗剤サイフォン部材（７１）底面の所定位置には、前記添加剤サイフォンガイド（６４）または柔軟剤サイフォンガイド（６６）と類似した形状の洗剤サイフォンガイド（７５）が設けられる。また、前記洗剤サイフォンカバー（７３）は、添加剤サイフォンカバー（７０）と類似した形状となっている。但し、このような形状は、図面に示されたものに限定されず、前記洗剤サイフォンガイド（７５）およびアウターサイフォンガイド（８２）によってサイフォン作用が遂行できれば良く、具体的な形状は、前述の添加剤サイフォンカバー（７０）と類似していなくても構わない。未説明符号９２は、間隔維持部材である。
【００３０】
具体的に、前記ボックス係止突部（９４）は、ノブ部の下端に形成され、トップカバー（１０）、収納凹部（４０）の下側端に形成されるボックス係止溝で係止されることで、洗剤ボックス（６０）の取付状態が堅固に維持される。
また、前記チャンバー（６１）（６２）（６３）には、それぞれ繊維柔軟剤、洗剤、添加剤が収容され、必要に応じて水で希釈され、洗濯槽の内部に供給される。
また、前記添加剤サイフォンガイド（６４）および柔軟剤サイフォンガイド（６６）の離隔した外側にアウターサイフォンガイド（８１）（８３）が挿入される。前記アウターサイフォンガイド（８１）（８３）と対比して、前記添加剤サイフォンガイド（６４）および柔軟剤サイフォンガイド（６６）は、インナーサイフォンガイドと呼ぶこともできる。この時、前記間隔維持部材（９１）（９３）によって添加剤サイフォンガイド（６４）および柔軟剤サイフォンガイド（６６）とアウターサイフォンガイド（８１）（８３）との間隔は、一定に維持される。従って、サイフォン作用が円滑に行われる。
【００３１】
また、前記ボックスリブガイド（６７）は、前記収納凹部（４０）の側面に形成されるリブ上方に位置され、洗剤ボックス（６０）の収納動作が正確にガイドされる。
また、前記水供給傾斜面（１００）は、前記第１の冷水供給ホール（図２の１８参照）の直に近くの下側に形成される。これは、第１の冷水供給ホール（１８）から供給される水が直に落下することで発生する大きな衝撃量を用いて、落下した水が柔軟剤チャンバー（６１）の前方にまで円滑に達するようにすることで、柔軟剤チャンバー（６１）の内部（特に、前方）に残っている柔軟剤が水で希釈され、使用されるようになる。このような機能によってチャンバーの清潔を増進し、洗濯効率が向上し得る。
【００３２】
具体的には、前記凹状部（７０２）および通孔（７０１）は、前記シャワー部材（２０）から添加剤シャワー部（２１）がなくされて水が一度に落下される場合、水の落下で発生する騒音をなくすことができるという効果を奏する。但し、シャワー部材（２０）に添加剤シャワー部（２１）が形成されるとしても、騒音を減らす効果は、ある程度得られる。
また、前記洗剤サイフォン吐出口（６５）は、液状の洗剤が使用される場合、サイフォン作用によって洗剤が供給されるようにするためのものであって、前記洗剤サイフォンガイド（７５）の下側と一列に位置合わせされる。但し、液状の洗剤でなく、粉状の洗剤が使用される場合、粉状洗剤の吐出口として使用することもできることはいうまでもない。  なお、前記洗剤サイフォン部材（７１）の後面の一定部分は、凸状に曲げられ、それと対応する前記洗剤チャンバー（６２）も凸状に曲げられ、前記洗剤サイフォン部材（７１）が容易に収容される。
【００３３】
また、前記洗剤サイフォン部材（７１）および前記洗剤サイフォンガイド（７３）は、液状洗剤が使用される場合、サイフォン作用で液状洗剤が希釈された水が完全に流出されるようにし、その作用は、柔軟剤チャンバー（６１）および添加剤チャンバー（６３）と同様であるため、具体的な説明は、省略する。
上記の構成を参照してチャンバー内のサイフォン作用について説明する。水が供給されると、前記添加剤サイフォンガイド（６４）および柔軟剤サイフォンガイド（６６）の外部面とアウターサイフォンガイド（８１）（８３）内周面との間の間隔に沿って添加剤または柔軟剤などが混合された水の水位がだんだん高くなる。そして、一旦、サイフォンガイド（６４）（６６）に沿って添加剤または柔軟剤が希釈された水の排出が始まると、チャンバー（６１）（６３）の最も下側面にある水もサイフォン機能で全て排出されるようになる。
【００３４】
即ち、チャンバー（６１）（６３）内に水が徐々に供給され、添加剤サイフォンガイド（６４）および柔軟剤サイフォンガイド（６６）の上端に至ると、水が添加剤サイフォンガイド（６４）および柔軟剤サイフォンガイド（６６）内部のホールを介して収納凹部（４０）の下側面に排出される。また、一旦排出が始まると、サイフォン機能によってチャンバー（６１）（６３）の底面に水が残ることなく完全に排出される。
このような説明は、洗剤チャンバー（６２）の場合においても同様に適用され得る。但し、洗剤チャンバー（６２）は、粉状洗剤の使用が一般的であるため、洗剤サイフォン部材（７１）が別に適用される。
即ち、粉状洗剤を使用する場合、洗剤サイフォン部材（７１）および洗剤サイフォンカバー（７３）の除去された状態で使用される。また、液状洗剤を使用する場合は、洗剤サイフォン部材（７１）および洗剤サイフォンカバー（７３）を取付けて使用することで、サイフォン機能が行われる。特に、粉状洗剤が使用される場合、前記シャワー部材（２０）によって水が多分岐になって投入されるため、全ての粉状洗剤が迅速に希釈され、投入される。
【００３５】
図６は、本発明に係る洗濯機の洗剤投入装置における洗剤ボックスの底面斜視図である。
同図には、前記柔軟剤チャンバー（６１）および添加剤チャンバー（６３）下面下側から突出する突出端（８４）（８６）と、前記突出端（８４）（８６）の隣接した位置に一文字状に長く突設される間隔維持リブ（８７）（８９）と、前述のようなボックス係止突部（９４）とが示されている。
具体的に、前記突出端（８４）（８６）は、柔軟剤チャンバー（６１）および添加剤チャンバー（６３）下面上側、即ち、水が収容される最低の水位から、添加剤サイフォンガイドおよび柔軟剤サイフォンガイド（６６）の吐出端までの距離が一定程度以上維持されるようにするためのものである。換言すれば、サイフォン作用のために、水が流入される最低水位と水が流出される最低水位との間隔が一定程度以上維持されるようにすることで、チャンバー（６１）（６３）内の水が完全に排出される。
【００３６】
前記突出端（８４）（８６）が形成されない場合は、チャンバー（６１）（６３）内で一定の水位まで水が排出されると、水が抜けないことになり、洗濯終了後、添加剤または柔軟剤の残滓がチャンバー（６１）（６３）内に残ることもあり得る。これは、チャンバー（６１）（６３）の材質であるプラスチックの変形によってしばしば発生する。但し、チャンバー（６１）（６３）下面の厚さが一定程度以上維持されるか、変形の少ない材質が使用される場合、このような突出端（８４）（８６）は、不要となり得る。
具体的に、前記間隔維持リブ（８７）（８９）は、チャンバー（６１）（６３）の下面と収納凹部（４０）の下面との間に一定間隔を必ず与え、プラスチックを材質とする洗剤ボックス（６０）が変形する場合においても、サイフォン作用が信頼性高く行われるようにする。
【００３７】
図７は、本発明に係る洗濯機の洗剤投入装置における洗剤サイフォン部材の底面斜視図である。
同図に示されたように、前記洗剤サイフォン部材（７１）下面の下側には、前記洗剤サイフォンガイド（７５）と位置合わせされる位置の周辺から下方に突出する突出端（８５）と、前記サイフォン吐出口（６５）に内挿され、サイフォン作用が円滑に行われるようにするための吐出口挿入突出端（９５）と、洗剤サイフォン部材（７１）と洗剤チャンバー（６２）との間の間隔を一定程度維持するための間隔維持リブ（８８）が少なくとも１つ以上設けられる。
【００３８】
具体的には、前記突出端（８５）の機能は、前記添加剤チャンバー（６３）および柔軟剤チャンバー（６１）の下面の下側に形成される突出端（８４）（８６）と同様である。即ち、洗剤サイフォン部材（７１）の下面の下側に形成される突出端（８５）と洗剤チャンバー（６２）の下面とが一定間隔を維持するようにすることで、洗剤サイフォン部材（７１）の内部に収容される水の最低水位と、前記吐出口挿入突出端（９５）の最低水位との距離が一定程度維持されるようになる。
試験によれば、サイフォン作用のためには、洗濯機の場合、サイフォンの流入口とサイフォンの出口との水位の差は、少なくとも３ｍｍ以上は維持される必要があるといわれている。
【００３９】
詳しくは、前記吐出口挿入突出端（９５）は、前記サイフォン吐出口（６５）に内挿されるものであって、洗剤チャンバー（６３）の下面と洗剤サイフォン部材（７１）との接面における水の接触力がサイフォン作用に与える悪影響を防止する。即ち、サイフォン作用で洗剤サイフォンガイド（７５）に沿って流出される水は、洗剤チャンバー（６３）の下面と洗剤サイフォン部材（７１）との接面を経ることなく、直に収納凹部（４０）の下面に落下するようにして流出される。
また、前記間隔維持リブ（８８）は、前記柔軟剤チャンバー（６１）および添加剤チャンバー（６３）の底面下側に形成される間隔維持リブ（８７）（８９）と同様な機能を行うためのものである。即ち、洗剤チャンバー（６２）の底面上側と洗剤サイフォン部材（７１）の底面下側との間が、プラスチックの変形が発生しても一定の間隔が維持されることで、サイフォン作用が信頼性高く行われるようになる。
【００４０】
図８は、本発明に係る洗濯機の洗剤投入装置における収納凹部の正面斜視図である。
同図に示されたように、収納凹部（４０）は、前記トップカバー（１０）の開口部が内側に窪んで形成されるものであって、従来の別体となったハウジングの働きをする。このような構成でより簡単かつ単純化して洗剤ボックスを収納することができる。
前記収納凹部（４０）には、水の供給を行うための温水供給ホール（１５）、第３の冷水供給ホール（１６）、第２の冷水供給ホール（１７）および第１の冷水供給ホール（１８）と、両側壁に形成され、洗剤ボックス（６０）の水平状態がガイドされ、前記収納凹部（４０）に装・脱着されるようにするためのボックス係止突条（４１）と、収納凹部（４０）の上側壁から下方に延びて水平に折り曲げられる第１のシャワー部材係止突条（４２）、第２のシャワー部材係止突条（４３）、第３のシャワー部材係止突条（４４）および第４のシャワー部材係止突条（４５）と、前記第１のシャワー部材係止突条（４２）および第２、３のシャワー部材係止突条（４３）（４４）の下方に延びて洗剤ボックス（６０）のチャンバー間における水の溢れを防止する第１の洗剤ボックス隔壁（４６）および第２の洗剤ボックス隔壁（４７）、前記収納凹部（４０）の前方の下側両端部に形成され、洗剤ボックス（６０）が完全に収納された時、前記ボックス係止突部（９４）を係止するためのボックス係止溝（４８）と、収納凹部（４０）の下方から水が排出される収納凹部下側壁（４９）と、前記収納凹部（４０）の前端上方に形成され、前記シャワー部材（２０）が完全に挿入された時、シャワー部材（２０）の前端部、具体的には、係止フック（２４）が嵌められて収容されるようにするためのシャワー部材固定突条（５０）とが設けられる。
【００４１】
詳しくは、前記温水供給ホール（１５）、第３の冷水供給ホール（１６）、第２の冷水供給ホール（１７）および第１の冷水供給ホール（１８）は、洗濯機に供給される水がシャワー部材（２０）および洗剤ボックス（６０）の上方に投入されるようにするためのものである。
また、前記ボックス係止突条（４１）は、前記ボックスリブガイド（６７）が位置され、洗剤ボックス（６０）の前後動作が安定して行われるようにする。
また、前記第１のシャワー部材係止突条（４２）、第２のシャワー部材係止突条（４３）、第３のシャワー部材係止突条（４４）および第４のシャワー部材係止突条（４５）は、シャワー部材（２０）両側端の上面と前記リブガイド（２３）両側端の上面とがそれぞれ係止されるようにすることで、シャワー部材（２０）が前後に安定してガイドされる状態で、前記収納凹部（４０）内に装・脱着されるようになる。
【００４２】
また、前記第１の洗剤ボックス隔壁（４６）および第２の洗剤ボックス隔壁（４７）は、３つのチャンバー（６１）（６２）（６３）の間に設けられるものであって、１つのチャンバー（６１）（６２）（６３）に投入される水が溢れて他のチャンバーに侵入するのを防止する機能を果たす。このため、前記洗剤ボックス（６０）からそれぞれのチャンバー（６１）（６２）（６３）が分離され、それぞれがチャンバーが分離されるようにするリブ挿入溝（図５の６８、６９参照）がチャンバー（６１）（６２）（６３）の間に形成される。
また、前記ボックス係止溝（４８）は、前記洗剤ボックス（６０）が完全に収納された時、前記ボックス係止突部（９４）が係止されるようになる。即ち、使用者が洗剤ボックス（６０）を収納凹部（４０）の内部に収納する時、完全な収納状態を確認することができ、収納されている状態では、洗濯機から発生する振動によって洗剤ボックス（６０）が収納凹部（４０）の外に離脱されないようにするものである。
【００４３】
また、前記収納凹部下側壁（４９）は、水が流出される通路として機能し、左右側中心方向および前方に緩やかに傾斜して形成されることで、水が円滑に排出され、残存する水がないようにすることで、洗濯後に洗剤の残滓が収納凹部（４０）内部に残存しない。
前記シャワー部材固定突条（５０）は、左右に長く形成される一種の突起構造であって、前記係止フック（図３の２４参照）が挿入固定されるようにすることで、シャワー部材（２０）の装着状態を安定化するだけでなく、前述のようにシャワー部材（２０）上方に投入された水がシャワー部材（２０）の前方に溢れるのを防止する。
【００４４】
図９は、本発明に係る洗濯機の洗剤投入装置におけるサイフォン作用を説明する図であって、具体的に、図９Ａは洗剤ボックスの内部に洗剤サイフォン部材が収容されている模様を示すものであり、図９Ｂは、柔軟剤チャンバーの断面図であり、図９Ｃは、洗剤サイフォン部材が収容されている洗剤チャンバーの断面図であり、図９Ｄは、添加剤チャンバーの断面図である。
図９Ａ、図９Ｂ、図９Ｃおよび図９Ｄに示されたように、サイフォン作用が円滑に行われるようにするため、前記洗剤サイフォン部材（７１）下面の上方、即ち、水の流入端における最低水位と前記吐出口挿入突出端（９５）の高さ（Ｈ２）とが示されている。
また、柔軟剤チャンバー（６１）および添加剤チャンバー（６３）の下面の上方、即ち、水の流入端における最低水位と、前記突出端（８４）（８６）下端との高さ（Ｈ１）（Ｈ２）が示されているが、これらの高さは、少なくとも一定程度を維持する必要がある。
このように大きさおよび位置を設定するため、間隔維持リブなどと突出端の構造がさらに形成されるようになる。
【００４５】
図１０は、本発明に係る洗濯機の洗剤投入装置におけるシャワー部材および洗剤ボックスが収納される過程を説明する図である。
同図に示されたように、前記ボックスガイドリブ（６７）は、前記ボックス係止突条（４１）に係止され、洗剤ボックス（６０）が前後にガイドされながら動くことができる。
また、ボックス係止突部（９４）は、ボックス係止溝（４８）に係止されることで、洗剤ボックス（６０）の取付時、離脱が防止される。
また、前記リブ挿入溝（６８、６９）内には、前記第１の洗剤ボックス隔壁（４６）および第２の洗剤ボックス隔壁（４７）が挿入され、洗剤ボックス内のチャンバー間の水移動を極力抑制する。また、シャワー部材（２０）の前方上端に形成される係止フック（２４）は、前記シャワー部材固定突条（図８の５０参照）に正確に結合され、その隙間をなくすことで、シャワー部材（２０）の上面から水が流出されるのを防止する。
【００４６】
なお、前記洗剤ボックス（６０）前面のノブの下側端は、上方に湾曲され、洗濯水流出口（９６）を形成することで、前記収納凹部（４０）の下側面に沿って水が円滑に排出され、さらには、使用者がつかんで便利に洗剤ボックスを入れ出しすることができる。
【００４７】
図１１は、本発明に係る洗濯機の洗剤投入装置における洗剤ボックスとシャワー部材が位置合わせされ、洗剤供給装置が動作する模様を示す図である。
同図に示されたように、前記洗剤ボックス（６０）の上方には、シャワー部材（２０）が位置する。その位置合わせ状態は、リブ挿入ホール（６５）とリブガイド（２３）とが一列となり、添加剤シャワー部（２１）は、前記添加剤チャンバー（６３）と一列となり、洗剤シャワー部（２２）は、洗剤チャンバー（６２）と一列となる。
また、前記シャワー部材（２０）の後面は、収納凹部（４０）の後方と面接触され一定の空間を形成し、その空間内を温水が流動する。
【００４８】
なお、洗濯機の内部に温水が供給される模様を模式的に説明する。前記温水供給ホール（１５）は、温水が供給されるように前記温水孔（２９）の直に近くの上方に形成され、第３の冷水供給ホール（１６）は、添加剤を希釈する水を供給するように前記添加剤シャワー部（２１）の直に近くの上方に形成され、第２の冷水供給ホール（１７）は、洗剤を希釈する水を供給するように洗剤シャワー部（２２）の直に近くの上方に形成され、第１の冷水供給ホール（１８）は、水供給傾斜面（１００）に供給され、柔軟剤が円滑に水で希釈されるようにする働きをする。
また、それぞれの供給ホール（１５）（１６）（１７）（１８）を介してシャワー部材（２０）または洗剤ボックス（６０）の上方に流入された冷水または温水は、前述のような流路に沿った一定の作用が行われた後、収納凹部（４０）の下面に沿って前方に流出される。結局、洗剤および／または添加剤および／または柔軟剤が適切に希釈された状態でドラム内に流入される。
【００４９】
図１２は、図１１のＡ−Ａ’に沿った断面図である。
同図に示されたように、特に、前記補助温水供給部（３１）と前記柔軟剤チャンバー（６１）とは、上方から下方に行くにつれ互いに間隔が広くなる方向に傾斜して形成されている。このような構成によって補助温水供給部（３１）からの温水の流出がより円滑に行われる。
なお、前述のような本発明の構成は、トップカバーが設けられるパルセーター（Ｐｕｌｓａｔｏｒ）またはアジテーター（Ａｇｉｔａｔｏｒ）洗濯機に適用され、便利に使用できるという長所がある。さらには、ドラム（Ｄｒｕｍ）洗濯機においても簡単な構成の変更を加えることで、便利に適用することができる。
また、前記シャワー部材（２０）および／または洗剤ボックス（６０）において、添加剤、洗剤、柔軟剤が収納されるチャンバーの配置は、図面に示されたものに限定されず、その順序は、種々に変更可能である。
【産業上の利用可能性】
【００５０】
本発明に係る洗濯機の洗剤投入装置によれば、洗剤ボックスへの水供給状態を自由に調節できるという効果が得られる。特に、洗剤などが追加されない状態で温水のみがドラム内に流入されることができるため、洗濯機の使用動作を使用者の希望に合わせて種々の状態に操作することができる。
また、トップカバーの内部に窪んで形成される収納凹部を形成することで、洗濯機の内部空間をより効率よく活用することができる。
また、前述の構成によって洗剤投入の正確性および洗剤の完全な利用に対する信頼性が得られる。
【図面の簡単な説明】
【００５１】
【図１】従来の洗濯機の洗剤投入装置を説明する洗濯機の斜視図である。
【図２】本発明に係る洗濯機の洗剤投入装置を示す斜視図である。
【図３】本発明に係る洗濯機の洗剤投入装置におけるシャワー部材の背面斜視図である。
【図４】本発明に係る洗濯機の洗剤投入装置におけるシャワー部材の底面斜視図である。
【図５】本発明に係る洗濯機の洗剤投入装置における洗剤ボックスの背面斜視図である。
【図６】本発明に係る洗濯機の洗剤投入装置における洗剤ボックスの底面斜視図である。
【図７】本発明に係る洗濯機の洗剤投入装置における洗剤サイフォン部材の底面斜視図である。
【図８】本発明に係る洗濯機の洗剤投入装置における収納凹部の正面斜視図である。
【図９Ａ】洗剤ボックスの内部に洗剤サイフォン部材が収容されている模様を示す図である。
【図９Ｂ】柔軟剤チャンバーの断面図である。
【図９Ｃ】洗剤サイフォン部材が収容されている洗剤チャンバーの断面図である。
【図９Ｄ】添加剤チャンバーの断面図である。
【図１０】本発明に係る洗濯機の洗剤投入装置におけるシャワー部材および洗剤ボックスが収納される過程を説明する図である。
【図１１】本発明に係る洗濯機の洗剤投入装置における洗剤ボックスとシャワー部材とが位置合わせされ、洗剤供給装置が動作する模様を示す図である。
【図１２】図１１のＡ−Ａ'に沿った断面図である。
【符号の説明】
【００５２】
１０  トップカバー、  １５  温水供給ホール、  ２０  シャワー部材、  ２１  添加剤シャワー部、  ２２  洗剤シャワー部、  ２３  リブガイド、  ２４  係止フック、  ２９  温水孔、  ３０  波状部、  ３１  補助温水供給部、  ３２  遮断溝、  ３３  ボックス係止突起、  ４０  収納凹部、  ４１  ボックス係止突条、  ４８  ボックス係止溝、  ５０  シャワー部材固定突条、  ６０  洗剤ボックス、  ６１  柔軟剤チャンバー、  ６２  洗剤チャンバー、  ６３  洗剤チャンバー、  ６３  添加剤チャンバー、  ６７  ボックスガイドリブ、  ６７  ボックスリブガイド、  ６８  リブ挿入溝、  ７１  洗剤サイフォン部材、  ７３  洗剤サイフォンカバー、  ７３  洗剤サイフォンガイド、  ７４  水供給傾斜面、  ７５  洗剤サイフォンガイド、  ８２  アウターサイフォンガイド、  ８５  突出端、  ８８  間隔維持リブ、  ９４  ボックス係止突部、  ９５  吐出口挿入突出端、  ９８  ボックス離脱防止突条、  １００  水供給傾斜面、  ７０１  通孔、  ７０２  凸状部。
【図１】
2005519712.tif 000003
【図２】
2005519712.tif 000004
【図３】
2005519712.tif 000005
【図４】
2005519712.tif 000006
【図５】
2005519712.tif 000007
【図６】
2005519712.tif 000008
【図７】
2005519712.tif 000009
【図８】
2005519712.tif 000010
【図９Ａ】
2005519712.tif 000011
【図９Ｂ】
2005519712.tif 000012
【図９Ｃ】
2005519712.tif 000013
【図９Ｄ】
2005519712.tif 000014
【図１０】
2005519712.tif 000015
【図１１】
2005519712.tif 000016
【図１２】
2005519712.tif 000017
【国際調査報告】
2005519712.tif 000018
2005519712.tif 000019